(57)【特許請求の範囲】
【請求項１】
少なくとも１枚の第１の針床と、少なくとも１枚の第２の針床とを備え、少なくとも該第２の針床が左右にラッキング自在で、第１の針床と第２の針床間で編目の目移しが自在な横編機を用いて、
a)  前身頃の編地を襟ぐりの形成箇所まで編成した後に、右前身頃及び左前身頃の一方の前身頃を針床上に左右の方向に関してほぼ固定して襟ぐり側に順次増目を形成しながら編成し、
b)  かつ増目の形成に応じて、右前身頃及び左前身頃の他方の前身頃の編目と襟ぐりの編目とを、前記一方の前身頃から遠ざかる向きへ移動させ、
c)  次いで同様にして、前記他方の前身頃を針床上に左右の方向に関してほぼ固定して襟ぐり側に順次増目を形成しながら編成し、
d)  かつ増目の形成に応じて、前記一方の前身頃の編目と襟ぐりの編目とを、前記他方の前身頃の編目から遠ざけて、
襟ぐりを備えた前身頃を編成する、横編機を用いた編成方法。
【請求項２】
前記a),c)の編成は少なくとも第１の針床を用いて行い、前記b)の移動は、他方の前身頃の編目と襟ぐりの編目とを第２の針床に係止して、前記一方の前身頃から遠ざかる方向へ、増目の数に比例したピッチでラッキングすることにより行い、前記d)の移動は、一方の前身頃の編目と襟ぐりの編目とを第２の針床に係止して、前記他方の前身頃から遠ざかる方向へ、増目の数に比例したピッチでラッキングすることにより行うことを特徴とする、請求の範囲第１項の横編機を用いた編成方法。
【請求項３】
少なくとも１枚の第１の針床と、少なくとも１枚の第２の針床とを備え、少なくとも該第２の針床が左右にラッキング自在で、第１の針床と第２の針床間で編目の目移しが自在な横編機を用いて、
左右の一対の筒体と前後の身頃からなる筒体とを編成した後、前身頃を襟ぐりを中心とした一方の前身頃と他方の前身頃とに分割して編成し、かつ少なくとも一方の筒体の前部を一方の前身頃に、少なくとも他方の筒体の前部を他方の前身頃に接合する方法において、
e)  一方の前身頃を編成しながら、該一方の前身頃の襟ぐり側で順次増目を形成すると共に、少なくとも一方の筒体の前部の編目を該一方の前身頃の編目に接合し、
f)  前記e)と並行してかつ前記e)での増目の形成に応じて、襟ぐりと他方の前身頃と、他方の筒体と、後身頃と、一方の筒体とを、第２の針床を前記他方側へラッキングして前記他方側へ移動させ、
g)  次いで、他方の前身頃を編成しながら、他方の前身頃の襟ぐり側で順次増目を形成すると共に、少なくとも他方の筒体の前部の編目を該他方の前身頃の編目に接合し、
h)  前記g)と並行してかつ前記g)での増目の形成に応じて、襟ぐりと一方の前身頃と、一方の筒体と、後身頃と、他方の筒体とを、第２の針床を前記一方側へラッキングして前記一方側へ移動させることを特徴とする、横編機を用いた編成方法。
【請求項４】
前記f)では、襟ぐりと他方の前身頃と、他方の筒体と、後身頃と、一方の筒体とを第２の針床に係止して、前記増目の数に比例したピッチでラッキングし、かつ前記h)では、襟ぐりと一方の前身頃と、一方の筒体と、後身頃と、他方の筒体とを第２の針床に係止して、前記増目の数に比例したピッチでラッキングすることを特徴とする、請求の範囲第３項の横編機を用いた編成方法。
【請求項５】
前記f)では、形成した増目と襟ぐりと他方の前身頃と他方の筒体と後身頃と一方の筒体とを第２の針床に係止すると共に、少なくとも他方の前身頃と襟ぐりを後身頃に重ねて第２の針床に係止してラッキングし、
さらに前記h)では、形成した増目と襟ぐりと一方の前身頃と一方の筒体と後身頃と他方の筒体とを第２の針床に係止すると共に、少なくとも一方の前身頃と襟ぐりを後身頃に重ねて第２の針床に係止してラッキングする、
ことを特徴とする、請求の範囲第４項の横編機を用いた編成方法。
【請求項６】
少なくとも１枚の第１の針床と、少なくとも１枚の第２の針床とを備え、少なくとも該第２の針床が左右にラッキング自在で、第１の針床と第２の針床間で編目の目移しが自在なコンピュータ内蔵の横編機での、コンピュータに読み込まれて、該コンピュータにより前記横編機を制御することにより、襟ぐりを備えた前身頃を前記横編機により編成するための編成プログラムであって、
a)  前記横編機に前身頃の編地を襟ぐりの形成箇所まで編成させた後に、右前身頃及び左前身頃の一方の前身頃を針床上に左右の方向に関してほぼ固定して襟ぐり側に順次増目を形成しながら編成するための命令と、
b)  かつ増目の形成に応じて、右前身頃及び左前身頃の他方の前身頃の編目と襟ぐりの編目とを、前記一方の前身頃から遠ざかる向きへ移動させるための命令と、
c)  次いで、前記他方の前身頃を針床上に左右の方向に関してほぼ固定して襟ぐり側に順次増目を形成しながら編成するための命令と、
d)  かつ増目の形成に応じて、前記一方の前身頃の編目と襟ぐりの編目とを、前記他方の前身頃の編目から遠ざけるための命令とを備えて、前記各命令を前記コンピュータに実行させるようにしたことを特徴とする編成プログラム。
【請求項７】
前記a),c)の命令では、前記編成を少なくとも第１の針床を用いて行い、
前記b)の命令では、前記移動を他方の前身頃の編目と襟ぐりの編目とを第２の針床に係止して、前記一方の前身頃から遠ざかる方向へ、増目の数に比例したピッチでラッキングすることにより行い、
前記d)の命令では、前記移動を、一方の前身頃の編目と襟ぐりの編目とを第２の針床に係止して、前記他方の前身頃から遠ざかる方向へ、増目の数に比例したピッチでラッキングすることにより行う、ようにしたことを特徴とする、請求の範囲第６項の編成プログラム。
【請求項８】
少なくとも１枚の第１の針床と、少なくとも１枚の第２の針床とを備え、少なくとも該第２の針床が左右にラッキング自在で、第１の針床と第２の針床間で編目の目移しが自在なコンピュータ内蔵の横編機での、コンピュータに読み込まれて、該コンピュータにより前記横編機を制御することにより、襟ぐり付きの身頃に左右一対の筒体を接合した衣類を前記横編機により編成するための編成プログラムであって、
e)  一方の前身頃を編成しながら、該一方の前身頃の襟ぐり側で順次増目を形成すると共に、少なくとも一方の筒体の前部の編目を該一方の前身頃の編目に接合するための命令と、
f)  前記e)と並行してかつ前記e)での増目の形成に応じて、襟ぐりと他方の前身頃と、他方の筒体と、後身頃と、一方の筒体とを、第２の針床を前記他方側へラッキングして前記他方側へ移動させるための命令と、
g)  次いで、他方の前身頃を編成しながら、他方の前身頃の襟ぐり側で順次増目を形成すると共に、少なくとも他方の筒体の前部の編目を該他方の前身頃の編目に接合するための命令と、
h)  前記g)と並行してかつ前記g)での増目の形成に応じて、襟ぐりと一方の前身頃と、一方の筒体と、後身頃と、他方の筒体とを、第２の針床を前記一方側へラッキングして前記一方側へ移動させるための命令、
とを備えて、前記各命令を前記コンピュータに実行させるようにしたことを特徴とする、編成プログラム。
【請求項９】
前記f)では、襟ぐりと他方の前身頃と、他方の筒体と、後身頃と、一方の筒体とを第２の針床に係止して、前記増目の数に比例したピッチでラッキングし、かつ前記h)では、襟ぐりと一方の前身頃と、一方の筒体と、後身頃と、他方の筒体とを第２の針床に係止して、前記増目の数に比例したピッチでラッキングするようにしたことを特徴とする、請求の範囲第８項の編成プログラム。
【請求項１０】
前記f)では、形成した増目と襟ぐりと他方の前身頃と他方の筒体と後身頃と一方の筒体とを第２の針床に係止すると共に、少なくとも他方の前身頃と襟ぐりを後身頃に重ねて第２の針床に係止してラッキングし、
さらに前記h)では、形成した増目と襟ぐりと一方の前身頃と一方の筒体と後身頃と他方の筒体とを第２の針床に係止すると共に、少なくとも一方の前身頃と襟ぐりを後身頃に重ねて第２の針床に係止してラッキングするようにしたことを特徴とする、請求の範囲第９項の編成プログラム。
【発明の詳細な説明】
【０００１】
【発明の利用分野】
この発明は横編機を用いたニット衣類の編成に関し、特に襟ぐりの編成に関する。この発明はまた、上記の編成を行うための編成プログラムに関する。
【０００２】
【従来技術】
出願人は、前身頃での襟ぐりの編成に際して、前身頃を襟ぐりの左右に分割して編成し例えば左前身頃から編成し、この時襟ぐり部の編目と右前身頃の編目とを針床上に固定して、編成中の左前身頃を編成に連れて襟ぐりから遠ざかる方向に移動させることを提案した（特許２５３８４２１）。この場合、右前身頃を編成する際には、襟ぐり部の編目と左前身頃の編目とを針床上に固定して、編成中の右前身頃を襟ぐりから遠ざかる方向に移動させる。これとは別に出願人は、袖付きの衣類を実質上シームレスで編成する方法を開発し、特に袖の編目を身頃の編目に接合するための編成方法を提案した（例えば特許３０１０４８３）。しかしながらこの後、編成中の前身頃（左前身頃または右前身頃）を襟ぐりから遠ざかる向きに移動させると、編成条件が悪化することを見出した。
【０００３】
【発明の課題】
この発明の基本的課題は、襟ぐりの左右の前身頃の編成時に、編目に引き下げ力が適切に働くようにして、良好な編成条件で深い襟ぐりを編成できるようにすることにある（請求の範囲第１〜１０項）。
請求の範囲第２，４，７，９項の発明での追加の課題は、そのための具体的な手法を提供することにある。
請求の範囲第３〜５項，８〜１０項の発明での追加の課題は、襟ぐりの形成と同時に左右の袖等の一対の筒体を、身頃に接合できるようにすることにある。
請求の範囲第５，１０項の発明での追加の課題は、襟ぐりの形成と同時に袖等の筒体を身頃に接合するための、具体的な手法を提供することにある。
【０００４】
【発明の構成】
この発明の編成方法では、少なくとも１枚の第１の針床と、少なくとも１枚の第２の針床とを備え、少なくとも該第２の針床が左右にラッキング自在で、第１の針床と第２の針床間で編目の目移しが自在な横編機を用いて、
a)  前身頃の編地を襟ぐりの形成箇所まで編成した後に、右前身頃及び左前身頃の一方の前身頃を針床上に左右の方向に関してほぼ固定して襟ぐり側に順次増目を形成しながら編成し、
b)  かつ増目の形成に応じて、右前身頃及び左前身頃の他方の前身頃の編目と襟ぐりの編目とを、前記一方の前身頃から遠ざかる向きへ移動させ、
c)  次いで同様にして、前記他方の前身頃を針床上に左右の方向に関してほぼ固定して襟ぐり側に順次増目を形成しながら編成し、
d)  かつ増目の形成に応じて、前記一方の前身頃の編目と襟ぐりの編目とを、前記他方の前身頃の編目から遠ざけて、襟ぐりを備えた前身頃を編成する。
好ましくは、前記a),c)の編成は少なくとも第１の針床を用いて行い、前記b)の移動は、他方の前身頃の編目と襟ぐりの編目とを第２の針床に係止して、前記一方の前身頃から遠ざかる方向へ、増目の数に比例したピッチでラッキングすることにより行い、前記d)の移動は、一方の前身頃の編目と襟ぐりの編目とを第２の針床に係止して、前記他方の前身頃から遠ざかる方向へ、増目の数に比例したピッチでラッキングすることにより行う。
また好ましくは、前記b),d)では前身頃の編成で形成した増目も、編成中の前身頃から遠ざかる方向に移動させる。
【０００５】
なおこの明細書において、増目は掛け目（空き針にフックすること）やいわゆる割り増しなどにより行い、例えば左前身頃や右前身頃を所定コース編成する毎に行うのが好ましい。また「針床上に左右の方向に関してほぼ固定して」とは、襟ぐり側への増目の形成区間で、編成中の左前身頃や右前身頃を針床の長手方向（左右方向）に関して、実質的に移動させないことを意味する。例えば増目の数に対して、編成中の左前身頃や右前身頃の左右移動が編目の数に換算して３０％以下の区間があれば、「ほぼ固定」したことになる。好ましくは襟ぐり側に１０目以上増目する間に、編成中の左前身頃や右前身頃が、編目の数に換算して３目以下しか左右に移動しない区間があれば、「ほぼ固定」したことになる。より好ましくは、上記の条件で、編成中の左前身頃や右前見の左右移動が２目以下、最も好ましくは１目以下の区間があれば、「ほぼ固定」したことになる。
【０００６】
またこの発明の編成方法は、少なくとも１枚の第１の針床と、少なくとも１枚の第２の針床とを備え、少なくとも該第２の針床が左右にラッキング自在で、第１の針床と第２の針床間で編目の目移しが自在な横編機を用いて、
左右の一対の筒体と前後の身頃からなる筒体とを編成した後、前身頃を襟ぐりを中心とした一方の前身頃と他方の前身頃とに分割して編成し、かつ少なくとも一方の筒体の前部を一方の前身頃に、少なくとも他方の筒体の前部を他方の前身頃に接合する方法において、
e)  一方の前身頃を編成しながら、該一方の前身頃の襟ぐり側で順次増目を形成すると共に、少なくとも一方の筒体の前部の編目を該一方の前身頃の編目に接合し、
f)  前記e)と並行してかつ前記e)での増目の形成に応じて、襟ぐりと他方の前身頃と、他方の筒体と、後身頃と、一方の筒体とを、第２の針床を前記他方側へラッキングして前記他方側へ移動させ、
g)  次いで、他方の前身頃を編成しながら、他方の前身頃の襟ぐり側で順次増目を形成すると共に、少なくとも他方の筒体の前部の編目を該他方の前身頃の編目に接合し、
h)  前記g)と並行してかつ前記g)での増目の形成に応じて、襟ぐりと一方の前身頃と、一方の筒体と、後身頃と、他方の筒体とを、第２の針床を前記一方側へラッキングして前記一方側へ移動させることを特徴とする。左右の筒体は、例えば左右の袖やベストの場合のアームホールの周囲の短い筒状の編地の意味である。
また好ましくは、前記f)，h)では前身頃の編成で形成した増目も、編成中の前身頃から遠ざかる方向に移動させる。
【０００７】
好ましくは、前記f)では、襟ぐりと他方の前身頃と、他方の筒体と、後身頃と、一方の筒体とを第２の針床に係止して、前記増目の数に比例したピッチでラッキングし、かつ前記h)では、襟ぐりと一方の前身頃と、一方の筒体と、後身頃と、他方の筒体とを第２の針床に係止して、前記増目の数に比例したピッチでラッキングする。
【０００８】
特に好ましくは、前記f)では、形成した増目と襟ぐりと他方の前身頃と他方の筒体と後身頃と一方の筒体とを第２の針床に係止すると共に、少なくとも他方の前身頃と襟ぐりを後身頃に重ねて第２の針床に係止してラッキングし、
さらに前記h)では、形成した増目と襟ぐりと一方の前身頃と一方の筒体と後身頃と他方の筒体とを第２の針床に係止すると共に、少なくとも一方の前身頃と襟ぐりを後身頃に重ねて第２の針床に係止してラッキングする。
【０００９】
またこの発明は、少なくとも１枚の第１の針床と、少なくとも１枚の第２の針床とを備え、少なくとも該第２の針床が左右にラッキング自在で、第１の針床と第２の針床間で編目の目移しが自在なコンピュータ内蔵の横編機での、コンピュータに読み込まれて、該コンピュータにより前記横編機を制御することにより、襟ぐりを備えた前身頃を前記横編機により編成するための編成プログラムであって、
a)  前記横編機に前身頃の編地を襟ぐりの形成箇所まで編成させた後に、右前身頃及び左前身頃の一方の前身頃を針床上に左右の方向に関してほぼ固定して襟ぐり側に順次増目を形成しながら編成するための命令と、
b)  かつ増目の形成に応じて、右前身頃及び左前身頃の他方の前身頃の編目と襟ぐりの編目とを、前記一方の前身頃から遠ざかる向きへ移動させるための命令と、
c)  次いで、前記他方の前身頃を針床上に左右の方向に関してほぼ固定して襟ぐり側に順次増目を形成しながら編成するための命令と、
d)  かつ増目の形成に応じて、前記一方の前身頃の編目と襟ぐりの編目とを、前記他方の前身頃の編目から遠ざけるための命令とを備えて、前記各命令を前記コンピュータに実行させるようにしたことを特徴とする。
また好ましくは、前記b)，d)では前身頃の編成で形成した増目も、編成中の前身頃から遠ざかる方向に移動させる。
【００１０】
好ましくは、前記a),c)の命令では、前記編成を少なくとも第１の針床を用いて行い、
前記b)の命令では、前記移動を他方の前身頃の編目と襟ぐりの編目とを第２の針床に係止して、前記一方の前身頃から遠ざかる方向へ、増目の数に比例したピッチでラッキングすることにより行い、
前記d)の命令では、前記移動を、一方の前身頃の編目と襟ぐりの編目とを第２の針床に係止して、前記他方の前身頃から遠ざかる方向へ、増目の数に比例したピッチでラッキングすることにより行う。
【００１１】
またこの発明の編成プログラムは、少なくとも１枚の第１の針床と、少なくとも１枚の第２の針床とを備え、少なくとも該第２の針床が左右にラッキング自在で、第１の針床と第２の針床間で編目の目移しが自在なコンピュータ内蔵の横編機での、コンピュータに読み込まれて、該コンピュータにより前記横編機を制御することにより、襟ぐり付きの身頃に左右一対の筒体を接合した衣類を前記横編機により編成するためのプログラムで、
e)  一方の前身頃を編成しながら、該一方の前身頃の襟ぐり側で順次増目を形成すると共に、少なくとも一方の筒体の前部の編目を該一方の前身頃の編目に接合するための命令と、
f)  前記e)と並行してかつ前記e)での増目の形成に応じて、襟ぐりと他方の前身頃と、他方の筒体と、後身頃と、一方の筒体とを、第２の針床を前記他方側へラッキングして前記他方側へ移動させるための命令と、
g)  次いで、他方の前身頃を編成しながら、他方の前身頃の襟ぐり側で順次増目を形成すると共に、少なくとも他方の筒体の前部の編目を該他方の前身頃の編目に接合するための命令と、
h)  前記g)と並行してかつ前記g)での増目の形成に応じて、襟ぐりと一方の前身頃と、一方の筒体と、後身頃と、他方の筒体とを、第２の針床を前記一方側へラッキングして前記一方側へ移動させるための命令、
とを備えて、前記各命令を前記コンピュータに実行させるようにしたことを特徴とする。
また好ましくは、前記f)，h)では前身頃の編成で形成した増目も、編成中の前身頃から遠ざかる方向に移動させる。
【００１２】
好ましくは、前記f)では、襟ぐりと他方の前身頃と、他方の筒体と、後身頃と、一方の筒体とを第２の針床に係止して、前記増目の数に比例したピッチでラッキングし、かつ前記h)では、襟ぐりと一方の前身頃と、一方の筒体と、後身頃と、他方の筒体とを第２の針床に係止して、前記増目の数に比例したピッチでラッキングする。
特に好ましくは、前記f)では、形成した増目と襟ぐりと他方の前身頃と他方の筒体と後身頃と一方の筒体とを第２の針床に係止すると共に、少なくとも他方の前身頃と襟ぐりを後身頃に重ねて第２の針床に係止してラッキングし、
さらに前記h)では、形成した増目と襟ぐりと一方の前身頃と一方の筒体と後身頃と他方の筒体とを第２の針床に係止すると共に、少なくとも一方の前身頃と襟ぐりを後身頃に重ねて第２の針床に係止してラッキングする。
【００１３】
【発明の作用と効果】
この発明では、襟ぐりの左右で、左右一方の前身頃を増目しながら編成する際に、襟ぐりと他方の前身頃とを、編成中の一方の前身頃から遠ざかる方向に移動させる。このため増目を襟ぐりと一方の前身頃との間で係止できる。そして編成中の一方の前身頃自体は、増目編成の間は針床上にほぼ固定されて基本的に左右に移動させる必要がないため、編成中の一方の前身頃のウェールは、引き下げローラ等からほぼ鉛直に伸び、編成中の一方の前身頃の編目に適切な引き下げ力が働き、編成が容易になる。なお編成中の一方の前身頃を、左右に僅かに、例えば増目の数の３０％以下の目数分だけ移動させることを排除するものではない。一方の前身頃を編成すると、同様にして他方の前身頃を編成し、この際には襟ぐりと一方の前身頃の編成で形成した増目と一方の前身頃とを、他方の前身頃から遠ざかる方向に移動させながら、他方の前身頃を編成する。編成条件が良好になると、襟ぐりの両側の前身頃をより多数コース編成し、より多数の増目を設けることができる。このためより深い襟ぐりを編成でき、衣類の付加価値が増す（請求の範囲第１〜１０項）。
【００１４】
好ましくは、編成する側の左右一方の前身頃は、少なくとも第１の針床を用いて行い、編成しない側の前身頃の編目や襟ぐりの編目などの移動は、これらの編目を第２の針床に係止してラッキングすることで行い、ラッキングは増目の数に比例したピッチで行い、例えば増目の２倍のピッチだけラッキングする（請求の範囲第２，４，７，９項）。
【００１５】
両筒体を身頃に接合する場合、編地全体を１つの筒と考える。なおこの明細書で一方の筒体とは、襟ぐりの一方の側で編成する一方の前身頃側の袖等の筒体である。また他方の筒体とは、他方の前身頃側の袖等の筒体である。一方の前身頃での増目に応じて、一方の前身頃以外の前編地を他方の側へ移動させる。同様に他方の前身頃での増目に応じて、他方の前身頃以外の前編地を他方の側へ移動させる。
【００１６】
編成中の前身頃以外の前編地を移動させることにより、増目を係止するための針を設けることができ、かつ筒体の編目が編成中の前身頃の編目に寄って来る。これに応じて、筒体の編目を前身頃の編目に接合する。全体としての編地がなす筒体に着目すると、編成中の前身頃は移動せず、他の部分が移動して増目を形成する針を用意し、かつ筒体と編成中の前身頃の接合が行われることになる。このようにすると、襟ぐりの外側で編成中の前身頃は基本的にラッキングしないので、編成条件は良好で、多数コース編成して多数の増目を設け、深い襟ぐりを設けることができる。そしてこれと同時に筒体の接合ができる（請求の範囲第３〜５項，８〜１０項）。
【００１７】
ここで形成した増目を含めて、編成中の前身頃以外の前身頃を第２の針床に係止し、かつ編成していない側の前身頃と襟ぐりを後身頃に重ねるように第２の針床に係止すると、編地を簡単に第２の針床に係止してラッキングできる（請求の範囲第５，９項）。
【００１８】
この発明の編成プログラムは、ディスク等の媒体に記憶しても良く、通信回線を介して横編機やニットデザイン装置などに供給しても良い。編成プログラムは最終的に横編機で使用するが、例えばニットデザイン装置にサブルーチンのようにして記憶させても良い。
【００１９】
【実施例】
図１〜図１８に、３つの実施例を示す。用いる横編機は、前後一対の前針床と後針床とを備え、例えば後針床が前針床に対して左右にラッキング自在で、前針床と後針床との間で編目の目移しができるものである。実施例では、前針床を第１の針床とし、後針床を第２の針床とする。このような横編機は周知で、これ以外に前針床と後針床とをそれぞれ２枚ずつ設けた横編機も周知である。この場合には２枚の前針床が全体として例えば第１の針床となり、２枚の後針床が全体として例えば第２の針床となる。横編機自体の構成は周知なので説明を省略する。左右は前身頃の中央にある襟ぐりを中心に示し、原則として左前身頃や左袖のある側を一方の側、右前身頃や右袖のある側を他方の側と呼ぶ。各実施例では、図示の便宜上、編地各部の編目の数を実際よりも少なく表示する。また内外は、襟ぐり側を内側、身頃から見て袖側を外側、袖から見て編幅の外側を外側とする。
【００２０】
図１に、実施例で編成する編地の要部をしめすと、２ａは前身頃で、襟ぐり下部１０ａの左右両側に左前身頃５ａと右前身頃１５ａとがあり、襟ぐり１２の左右両側で、前身頃２ａを左前身頃５ａと右前身頃１５ａとに分けて編成し、この編成の間、例えば２コース編成する毎に襟ぐり側で１目掛け目等により増目する。この結果、襟ぐりの左右に増目部２０，２１が生じる。左前身頃５ａと右前身頃１５ａの編成後に、襟ぐりの周囲に襟２２を編成し、襟２２のウェール方向は左前身頃５ａや右前身頃１５ａのウェール方向とは直交する。そしてＸは襟下がりを示し、襟下がりＸを大きくするには増目部２０，２１での増目の数を大きくする必要がある。図１の編地自体は公知である。
【００２１】
図２に、図１の編地を従来法で編成する際の、針床への編地の係止状態を示す。鎖線で示した１は前後の針床で、左前身頃５ａを編成する場合、増目部２０で増目を行うと共に、左前身頃５ａを図２の右側にラッキングし、襟ぐり下部１０ａを係止する針と左前身頃５ａを係止する針との間に、増目を係止する針を用意する。なお左前身頃５ａの編成の間、右前身頃１５ａの編目や襟ぐり下部１０ａの編目、並びに形成済みの増目は針床位置に係止されたままで編成を行わず、休止状態に置かれる。
【００２２】
周知のように、編地には横編機の下部に設けた引き下げローラ等により、引き下げ力が加えられる。これによって編目が針から浮き上がることが防止され、編成を良好に行うためには、適切な引き下げ力が加わることが重要である。引き下げ力は編地の下部に加えられ、ウェールに沿って針に係止した編目まで伝えられる。図２に引き下げ力が加わる向きを白抜き矢印で示すと、編成中の左前身頃５ａは右側に移動しているためウェール方向が斜めを向いており、適切な引き下げ力が加わりにくい。そして左前身頃５ａに適切に引き下げ力を加えることができないので編成条件が悪化し、これに伴って増目部２０に設けることができる増目の数も制限され、襟下がりを深くできなくなる。
【００２３】
図３に実施例での襟ぐりの編成のフローチャートを示す。なお図３の編成プログラムは前編地のみから成る編地で、後編地や左右の両袖を考慮しない場合の編成である。公知のようにして前編地を編成し、襟ぐり部の編成を開始すると（ステップ１）、例えば左前身頃側から襟ぐり部の編成を行うものとして、右前身頃と襟ぐりの編目とを後針床へ目移しする（ステップ２）。続いて左前身頃を襟ぐり側に増目しながら編成し、増目に応じて後針床を左前身頃とは反対側へ、即ち左前身頃から遠ざかる方向へ、ラッキングする（ステップ３）。次いで例えば前編地全体を前針床へ目移しして、後針床のラッキングを解消した後、左前身頃と襟ぐりとを後針床へ目移しする（ステップ４）。この後、ステップ３と同様にして右前身頃を編成し、右前身頃の襟ぐり側に増目しながら、増目に応じて後針床を左前身頃側へラッキングする（ステップ５）。
【００２４】
図４，図５に、図３の編成プログラムによる主な編成コースを示す。各図は下から上へと読むものとし、左側の番号は編成コースの順番を示し、矢印は目移しの向きを示し、０Ｐはラッキングがないことを、Ｌ１ＰやＬ３Ｐ等は後針床を左側に１ピッチあるいは３ピッチラッキングしたことを示している。同様にＲ２ＰやＲ４Ｐ等は、後針床を右側に２ピッチあるいは４ピッチラッキングしていることを示す。さらにknitはニット編成を行うことを示す。なおこれらの記号は、他の図でも同様である。
【００２５】
図４のコース１は襟ぐり編成の開始時の姿を示し、中央の□は襟ぐりの編目で、以下休止状態に置かれる。左右の○は左前身頃や右前身頃の編目で、コース２で左前身頃を除き、襟ぐりの編目と右前身頃の編目を後針床に目移しする。コース３で、後針床を１ピッチ左へラッキングして、後針床の針Ｗを空針とし、次に前針床の針ｂから針Ｗまでニットし、後針床の空針Ｗにフックして増目し、前針床の針Ｗから針ｂまでニットする。このように、左前身頃を例えば２コース編成する毎に、左前身頃の襟ぐり側に１目掛け目により増目し、増目の都度右前身頃側に１ピッチラッキングする。この結果、図４のコース６までに、左前身頃は例えば８コース編成され、これに応じて４目増目が形成されている。図４のコース７で全編目を前針床へ目移しし、図５のコース９で右前身頃を除く編目を後針床に目移しする。以下左前身頃の編成と同様にして、例えば右前身頃を２コース編成する毎に、右前身頃の襟ぐり側に１目掛け目により増目し、増目毎に後針床を１ピッチ右移動して右前身頃から遠ざけ、コース１３まで右前身頃を編成する。この間に右前身頃は例えば８コース編成され、右前身頃の襟ぐり側には４目の増目が形成され、後針床は４ピッチ右ラッキングしている。そしてコース１４で全編目を前針床へ目移しすると、コース１５に示すように、襟ぐりの左右に４目の増目がなされ、右前身頃と左前身頃との編成が終了する。コース１５において、各編目は襟ぐり下部の編目や増目も含めて休止状態で針に係止されているので、この後、例えば図１の襟２２のように襟を編成する。
【００２６】
図６〜図１１に、前編地と後編地とを１つの筒体として編成し、左右の袖をそれぞれ１つの筒体として編成し、これらをシームレスに接合して１着の衣類とする実施例を示す。図６において、２ａは前身頃、２ｂは後身頃、１０ａは襟ぐり下部で、５ａは左前身頃、１５ａは右前身頃、１０ｂは後肩部、１２は襟ぐりである。６ａ，６ｂはそれぞれ前裾と後裾、４ａは左前袖、４ｂは左後袖、１４ａは右前袖、１４ｂは右後袖、７ａ，１７ａは前袖口、７ｂ，１７ｂは後袖口である。前身頃２ａと後身頃２ｂは１つの筒として編成され、左前袖４ａと左後袖４ｂも１つの筒として編成され、右前袖１４ａと右後袖１４ｂも１つの筒として編成され、点Ａ，Ｑ，ａ，ｑと点Ｍ，Ｕ，ｍ，ｕ以降において、左右両袖と身頃とを合体して１つの筒体として編成する。そして左前袖４ａの線Ｑ−Ｒを前身頃２ａの線Ａ−Ｃに接合し、右前袖１４ａの線ｑ−ｒを前身頃２ａの線ａ−ｃと接合する。また左後袖４ｂの線Ｕ−Ｖが後身頃２ｂの線Ｍ−Ｏと接合され、右後袖１４ｂの線ｕ−ｖが後身頃２ｂの線ｍ−ｏと接合される。また左前身頃５ａや右前身頃１５ａの編成において、台形Ｋ−Ｊ−Ｃ−Ｂ，ｋ−ｊ−ｃ−ｂの部分は、徐々に編幅を狭めながら、編幅から外れた編目を針に係止したまま休止状態に置いて編成する。ここまでの編成自体は公知である。
【００２７】
実施例に関係する部分は、図６に示す編成領域３０の部分である。ここで左右の前袖４ａ，１４ａの線Ｒ−Ｔ，ｒ−ｔと後袖４ｂ、１４ｂの線Ｘ−Ｖ，ｘ−ｖは、左前身頃５ａの線Ｃ〜Ｆや右前身頃１５ａの線ｃ〜ｆと接合される。このようにして前後の袖の編目を左右の前身頃に接合する。また左前身頃５ａの線Ｆ−Ｇの編目は、後肩部１０ｂの線Ｏ−Ｐの編目よりも目数が多い。線Ｆ−Ｇの編目は、点Ｆが点Ｏに接合されるように線Ｏ−Ｐの編目と接合される。点Ｇ付近の残る編目は、外側の編目から内側への編目の順でかつ左右を反転して、後針床に目移しされる。例えば残った編目の内で最も外側の編目（点Ｆ寄りの編目）が、後針床では点Ｐの編目を係止した針の外側に、次の編目がその外側に来る順で目移しされ、最も内側の点Ｇの編目は最も外側に目移しされる。右前身頃１５ａの線ｆ−ｇの編目も同様に処理され、一部の編目（点ｆから始まる編目）は後肩部１０ｂのｏ−ｐの編目と接合され、残る編目は左右を反転して点ｐの外側に並ぶように後針床へ目移しされる。
【００２８】
図７，図８に、第２の実施例での編成方法を示す。図７のＢは後針床を、Ｆは前針床を示し、４ａ，４ｂ等の符号は図６の編地の各パーツを示す。図６の編成領域３０の手前まで編成した状態が図７−Ａや図８のステップ１１である。この時、前後の身頃と左右の両袖とで全体として１つの筒体を構成している。ここから左後袖４ｂを左前袖４ａの外側へ目移しし、右前袖１４ａを右後袖１４ｂの外側へと目移しする（図７−Ｂ，図８−ステップ１２）。
【００２９】
続いて左前身頃を除き、右前身頃や襟ぐり，左前袖，左後袖を後針床へ目移しする（図８−ステップ１３）。続いて左前袖，左後袖の順に左前身頃に左袖を接合し、同時に左前身頃の襟ぐり側に、例えば左前身頃を２コース編成する毎に、１目増目し、これに応じて後針床を右前身頃側へラッキングする。ラッキングのピッチは、増目の数の２倍である（図７−Ｃ，図８−ステップ１４）。続いて右前身頃と襟ぐりを右前針床へ目移しし（図８−ステップ１５）、編地を反時計回りに循環移動させ、左前身頃を後針床へ、右の前後の袖を前針床へ目移しする（図８−ステップ１６）。これが図７−Ｄ，図７−Ｅの状態で、図１０のコース１０〜１５でこの処理を行う。
【００３０】
図８のステップ１７で右前身頃を残して、前編地を後針床へ目移しする（図７−Ｆ，図１０コース１６）。続いて図８のステップ１８で、ステップ１４と同様に右前身頃を編成し、この間に右前袖と右後袖を右前身頃に接合し、右前身頃を２コース編成する毎に例えば１目襟ぐり側に増目し、これに応じて後針床を左前身頃側に２ピッチずつラッキングする。この状態が図７−Ｆの状態で、図１０のコース１７〜図１１のコース２０でこの編成を行う。
【００３１】
この後、襟ぐりを前針床へ目移しし（図７−Ｇ、図８−ステップ１９）、後針床を左前身頃側へラッキングさせながら左前身頃５ａの編目を前針床へ移し、右前身頃１５ａの編目を一部後針床側へ移動することにより、前編地や後編地を全体として時計回りに移動し、襟ぐり下部１０ａを中心に左右対称に前後の針床に係止する（図７−Ｈ，図８−ステップ２０，図１１のコース２２〜２７）。この後、後編地の後肩部１０ｂを編成して、左右の前身頃５ａ，１５ａを後肩部１０ｂへ接合すると、図６の編地が編成される（図７−Ｉ，図８−ステップ２１，図１１コース２８）。
【００３２】
図９〜図１１に、図７，図８の編成方法での主な編成コースを示す。針への符号は１本置きに付し、符号のある針はその符号で、符号のない針は左側の針の符号に「右」を付して示す。例えばコース１で後針床で最も右側の編目は針ｒ右にある。図９のコース１は、襟ぐりの編成を開始する直前の係止状態を示し、コース１〜コース２の間に後針床を右へ１３ピッチラッキングしながら、左後袖を前針床へ目移しし、右前袖を後針床へ目移しする。袖の目移しは編目の順序あるいは隣接関係を保つように行い、例えばコース１で後針床の針ｒ右にある左後袖の編目を、前針床の針ｓに目移しし、左前袖の針ｒの編目と隣接していたことが保たれる。同様に左後袖の針ｏ右の編目は前針床の針ｖに移され、後身頃の最外側の編目と隣接していたことが保たれる。同様に右前袖の目移しでは、右後袖の針Ｍ右の編目と隣接していた右前袖の針Ｍの編目が後針床の針Ｌ右に移され、右前身頃の針Ｑの編目と隣接していた針Ｐの編目が、コース２で後針床の針Ｉ右へ目移しされる。これは、左後袖を後針床の最も外側の編目から前針床に目移しし、右前袖を前針床の最も外側の編目から後針床に目移しすることで達成される。
【００３３】
図９のコース３で後針床をさらに右側に１ピッチラッキングし、左前身頃の編目を除く、前針床の全ての編目を後針床へ目移しする。続いてコース４で左前身頃を例えば１コースニットする。コース５では後針床を２ピッチ左へラッキングした後、後針床の針ｂに掛け目して増目し、次いで左前身頃を１コースニットすると共に、左前袖の最も身頃側の編目（針ｈの編目）を左前身頃の最も袖側の編目（針ｎの編目）に重ね目して１目接合する。
【００３４】
以下同様にして、コース６からコース８にかけて、左前身頃を２コース編成する毎に襟ぐり側に１目増目し、左袖の編目を左前袖から左後袖の順で、あるいは左前身頃側の編目から後身頃側の編目への順で、左前身頃に１目ずつ重ねて接合する編成を繰り返す。この間に、１目増目し、１目接合する毎に、後針床を右へ２ピッチずつラッキングする。この結果図９のコース８で、左前袖と左後袖の接合が終了し、左前身頃の襟ぐり側に例えば８目の増目が形成されている。増目を形成する都度、後針床は左側に２ピッチずつラッキングされるので、後針床のラッキング状態は右１４ピッチから左２ピッチへと変化している。そしてラッキングにより、左袖の編目が左前身頃側に移動してくるので、これを利用して左前袖を左前身頃に接合する。
【００３５】
図９のコース９で、右前袖を除き、前編地を前針床へ目移しする。続いて図１０のコース１０〜コース１５で、左前身頃の編目を、外側の編目から内側の編目への順に、後針床へ目移しし、右前袖の編地を、内側の編目から外側の編目への順に、前針床へ目移しする。コース１６で、右前身頃を除き、襟ぐりの編目，左前身頃側に形成した増目、右前袖の編目、並びに右後袖の編目を、後針床へ目移しする。
【００３６】
続いてコース１７で、右前身頃を例えば１コース編成する。コース１８では、後針床を２ピッチ右へラッキングし、右前身頃の襟ぐり部側の空針に掛け目して増目し、再度右前身頃を１コース編成すると共に、右前袖の編目を１目右前身頃に接合する。以下同様にして、右前身頃を２コース編成する毎に、右前身頃の襟ぐり部側に１目掛け目して増目し、右袖の編目を１目右前身頃に接合する。このようにして、図１１のコース２０までで、右前身頃の編成と、右袖の接合を完了する。
【００３７】
コース２１で、増目を含む襟ぐり部の編目を前針床へ目移しする。目移し後の状態をコース２２に示す。続いてコース２３からコース２７で、後針床を右側にラッキングしながら、右前身頃の編目を、外側の編目から内側の編目への順で、後針床へ目移しし、左前身頃側の増目や左前身頃の編目を、内側の編目から外側の編目への順で、前針床へ目移しする。このようにして、後針床のラッキングと目移しとを利用して、編地全体を時計方向に循環移動させ、左右対称に前後の針床に係止する。次いで左右の前身頃と後編地とを接合しながら、後肩部を編成する（コース２８）。この後適宜に、図１に示した襟２２等を編成する。
【００３８】
図１２〜図１８に第３の実施例を示す。図１２に編地のパターンを示すと、図６のパターンとの相違点は、突き出し部９，１９を後袖に設けたことである。これに伴って左右の袖の線Ｒ−Ｗ，ｒ−ｗが左右の前身頃の線Ｃ−Ｆ，ｃ−ｆに接合され、左右の前身頃の線Ｆ−Ｇ，ｆ−ｇが突き出し部９，１９の線Ｘ−Ｚ，ｘ−ｚに接合される。そして突き出し部９，１９の線Ｖ−Ｙ，ｖ−ｙがそれぞれ後肩部１０ｂの線Ｏ−Ｐ，ｏ−ｐに接合される。３２は、この実施例で行う編成領域である。突き出し部９，１９を設けたことにより、衣類のシルエットは例えば図１３に示すように変化し、突き出し部９の一方の側面が左前身頃５ａの上部と接合され、突き出し部９の他方の側面が後肩部１０ｂに接合される。このことは右側の突き出し部１９にとっても同様である。なお１８は肩ラインである。
【００３９】
図１４，１５に、編成領域３２の編成方法を示す。編成領域３２の手前まで編成し、次いで線Ｒ−Ｓと線Ｃ−Ｄを，線ｒ−ｓと線ｃ−ｄとを接合する（図１４−Ａ，図１５のステップ３１，図１６のコース１）。続いてステップ３２で、左前身頃を残して、前編地を後針床へ目移しする。そして左前袖のうち未接合の線Ｓ−Ｔの部分を左前身頃の線Ｄ−Ｅへ接合し、これと同時に左前身頃の襟ぐり部側に増目し、後針床を左へラッキングする（図１４−Ｂ）。ステップ３３では右前身頃を残して、前編地を後針床へ目移しし、右前袖を右前身頃へ接合する。これと同時に、右前身頃の襟ぐり側に増目しながら、右前身頃を編成して、後針床を右側へラッキングする（図１４−Ｃ）。ステップ３４で、前身頃を前針床へ目移しする（図１４−Ｄ）。ステップ３５では、突き出し部９，１９と後肩部１０ｂを編成しながら、左前身頃の線Ｆ−Ｇを突き出し部９の線Ｘ−Ｚと接合し、突き出し部９の線Ｖ−Ｙを後肩部の線Ｏ−Ｐと接合する。右前身頃の線ｆ−ｇを突き出し部１９の線ｘ−ｚと接合し、突き出し部１９の線ｖ−ｙを後肩部のｏ−ｐと接合する（図１４−Ｅ）。
【００４０】
図１６〜図１８に、主な編成コースを示す。図１６のコース１の状態からコース２で、左前身頃を残し、前編地を後針床へ目移しする。この目移しは後針床の対向する針への目移しで、第２の実施例よりも目移しが簡単である。コース３以降で、例えば左前身頃を２コース編成する毎に、左前袖の編目を左前身頃へ接合し、これと同時に左前身頃の襟ぐり側に１目掛け目等により増目し、１目接合し１目増目する毎に、後針床を左側へ２ピッチずつラッキングする。このようにして左前身頃側の増目を終了し、左前袖の接合が終了した状態をコース６に示す。
【００４１】
コース７で、全編地を前針床に係止するように目移しし、コース８で後針床のラッキングを解消し、コース９で右前身頃を除き前編地を後針床へ目移しし、コース１０〜１４で、例えば右前身頃を２コース編成する毎に、右前袖を１目右前身頃に接合し、右前身頃の襟ぐり側に１目掛け目等で増目する。そして増目や接合の都度、後針床を右方向に２ピッチずつラッキングする。コース１４で、全編地を前針床へ目移しし、図１８のコース１５にラッキング解消後の係止状態を示す。
【００４２】
コース１６で後編地を後針床へ目移しして、前編地と後編地とを分離し、コース１７に目移し後の状態を示す。この後突き出し部９，１９の編成と、後肩部１０ｂの編成を行い、その間に左前身頃のＦ−Ｇの編地を突き出し部９のＸ−Ｚの編目に接合し、突き出し部９のＶ−Ｙの編目を後肩部１０ｂのＯ−Ｐの編目に接合する。同様にして右前身頃のｆ−ｇの編目を突き出し部１９のｘ−ｚの編目に接合し、突き出し部１９のｖ−ｙの編目を後肩部１０ｂのｏ−ｐの編目に接合する。これによって右前身頃や左前身頃の編目は接合されて針床から外され、後肩部の編幅が徐々に減少する。図１２のパターンの編成が終わった状態が、図１８のコース２０である。これらによって、前身頃２ａの点ｇ，ｈ，ｉ，ｊ，ｋ，Ｋ，Ｊ，Ｉ，Ｈ，Ｇと、突き出し部９の点Ｚ，Ｙ、後身頃２ｂの点Ｐ，ｐ、及び突き出し部１９の点ｙ，ｚを結ぶように、環状に襟の形成部が編成される。そこでこの環（線ｇ−ｈ−ｉ−ｊ−ｋ−Ｋ−Ｊ−Ｉ−Ｈ−Ｇ−Ｚ−Ｙ−Ｐ−ｐ−ｙ−ｚ−ｇ）に沿って襟編地を所望のコース数だけ周回編成して、編成を終了する。
【００４３】
実施例では、編成中の前編地から、襟ぐり部や編成しない側の前身頃や袖等を遠ざけるため、これらの編地を後針床（第２の針床）に係止してラッキングした。しかしながらこれらの編地は、ラッキング時に後針床に係止されれば良く、それ以外の場合は前針床（第１の針床）に係止されていても良い。例えば、編成しない側の前身頃や襟ぐり部等の編目を前針床から後針床へ移して、後針床をラッキングし、その後、後針床から前針床へ再度目移しする。するとこれらの編地を前針床に係止して、編成中の前身頃から遠ざけることができる。またリブ編みや裏編みの場合などに、編成する前身頃を後針床で編成し、襟ぐりや他方の前身頃を遠ざける際に、前針床に移して、襟ぐりや他方の前身頃と分離しても良い。
【図面の簡単な説明】
【図１】図１は実施例で編成する編地の要部を示す平面図。
【図２】図２は図１の編地を従来法で編成する際の、編地の針床への係止状態を模式的に示す図。
【図３】図３は図１の編地の襟ぐりを編成する際の編成プログラムを示すフローチャート。
【図４】図４は実施例で図１の編地の襟ぐりを編成する際の編成コース図。
【図５】図５は図４に続く襟ぐりの編成コース図。
【図６】図６は第２の実施例で編成する編地のパターンを示す図。
【図７】図７は第２の実施例での襟ぐりの編成と両袖の身頃への接合の編成方法の概要を示す図。
【図８】  図８は図７の編成方法を実行するための編成プログラムを示すフローチャート。
【図９】図９は図７の編成方法に基づく編成コース図。
【図１０】図１０は図９に続く編成コース図。
【図１１】図１１は図１０に続く編成コース図。
【図１２】図１２は第３の実施例で編成する編地のパターンを示す図。
【図１３】図１３は第３の実施例で編成する編地の後部左半部を示す図。
【図１４】図１４は第３の実施例での襟ぐりの編成と両袖の身頃への接合の編成方法の概要を示す図。
【図１５】図１５は図１４の編成方法を実行するための編成プログラムを示すフローチャート。
【図１６】図１６は図１４の編成方法に基づく編成コース図。
【図１７】図１７は図１６に続く編成コース図。
【図１８】図１８は図１７に続く編成コース図。
【符号の説明】
１              針床
２ａ            前身頃
２ｂ            後身頃
５ａ            左前身頃
５ｂ            左後身頃
１５ａ          右前身頃
１５ｂ          右後身頃
１０ａ          襟ぐり下部
１０ｂ          後肩部
１２            襟ぐり
９，１９        突き出し部
１８            肩ライン
２０，２１      増目部
２２            襟
４ａ            左前袖
４ｂ            左後袖
１４ａ          右前袖
１４ｂ          右後袖
７ａ，１７ａ    前袖口
７ｂ，１７ｂ    後袖口
３０，３２      編成領域
【図１】
0004040981.tif 000002
【図２】
0004040981.tif 000003
【図３】
0004040981.tif 000004
【図４】
0004040981.tif 000005
【図５】
0004040981.tif 000006
【図６】
0004040981.tif 000007
【図７】
0004040981.tif 000008
【図８】
0004040981.tif 000009
【図９】
0004040981.tif 000010
【図１０】
0004040981.tif 000011
【図１１】
0004040981.tif 000012
【図１２】
0004040981.tif 000013
【図１３】
0004040981.tif 000014
【図１４】
0004040981.tif 000015
【図１５】
0004040981.tif 000016
【図１６】
0004040981.tif 000017
【図１７】
0004040981.tif 000018
【図１８】
0004040981.tif 000019